(57)【特許請求の範囲】
【請求項１】
物品が載置されるバスケットと、前記バスケットを支持するスタンド本体と、前記スタンド本体に回動可能に連結された複数の脚板とを備えるスタンドであって、
前記スタンド本体は、主パイプと、前記主パイプ内に上端が挿入された下段パイプとからなり、前記主パイプには脚板支持部材が設けられ、その脚板支持部材を介して前記各脚板の一端が前記主パイプに回動可能に連結され、前記下段パイプにはステー支持部材が設けられ、前記各脚板に連結されたステーが前記ステー支持部材を介して前記下段パイプに回動可能に連結され、
前記ステー支持部材が、前記脚板支持部材と接近するように前記下段パイプと一体的に移動して、前記主パイプ内での前記下段パイプの挿入量が増加することで前記各脚板は前記各ステーにより開かれると共に、前記ステー支持部材が、前記脚板支持部材と離間するように前記下段パイプと一体的に移動して、前記主パイプ内での前記下段パイプの挿入量が減少することで前記各脚板は前記各ステーにより折り畳まれることを特徴とするスタンド。
【請求項２】
前記ステー支持部材は、前記下段パイプの下端に設けられていることを特徴とする請求項１に記載のスタンド。
【請求項３】
前記脚板支持部材は、前記主パイプの下端に設けられていることを特徴とする請求項１又は２に記載のスタンド。
【請求項４】
前記主パイプに挿入された前記下段パイプを所定位置で保持するための保持機構を備えていることを特徴とする請求項１〜３のうちいずれか一項に記載のスタンド。
【請求項５】
前記主パイプは、中段パイプと、前記バスケットに装着され、かつ前記中段パイプ内に下端が挿入された上段パイプとを備えると共に、前記中段パイプに対する前記上段パイプの相対位置を調節するための調節機構を備えていることを特徴とする請求項１〜４のうちいずれか一項に記載のスタンド。
【請求項６】
前記中段パイプ内には、前記下段パイプ内を前記上段パイプが摺動し得るように前記両パイプが挿入されていることを特徴とする請求項５に記載のスタンド。
【請求項７】
前記上段パイプの下端には、前記上段パイプの前記下段パイプへの挿入を案内するための案内部材が設けられていることを特徴とする請求項６に記載のスタンド。
【請求項８】
前記下段パイプの下端には開口が形成され、その開口を通じて前記上段パイプの下端を下方へ突出可能としたことを特徴とする請求項６又は７に記載のスタンド。
【請求項９】
前記物品は打楽器であることを特徴とする請求項１〜８のうちいずれか一項に記載のスタンド。
【発明の詳細な説明】
【技術分野】
【０００１】
本発明は、スネアドラム等の打楽器に代表される物品を支持するスタンドに関する。
【背景技術】
【０００２】
一般に、スネアドラム用のスタンドは、スタンド本体と、スネアドラムが装着されるバスケットとを備え、スタンド本体には、複数の脚板が回動可能に連結されている。この種のスネアスタンドとして、特許文献１に記載される構成のものがよく知られている。特許文献１の構成では、図５（ａ）に示すように、各脚板９５の上端部が、下部パイプ９２に挿通された可動筒９４ａに対して回動可能に連結されている。また、各脚板９５の中央部には、ステー９７の一端部が回動可能に連結され、そのステー９７の他端部は、下部パイプ９２の下端に固定された固定筒９４ｂに対して回動可能に連結されている。そして、可動筒９４ａを下部パイプ９２に対して上下動させることで、各脚板９５を開いたり、折り畳んだりすることが可能になる。
【０００３】
上記文献の他にも、例えば特許文献２、又は図６に示される構成のものが知られている。特許文献２のスタンドでは、上部パイプの上端部側方にバスケットが配置されている。そして、上部パイプの上端部と、バスケットの中心軸上に配置されるアームホルダシャフトとが角度調整機構を介して回動可能に連結されている。図６に示すスネアスタンド１００では、各脚板１０１が、下部パイプ１０２の上端に固定された固定筒１０３に対して回動可能に連結されている。また、各脚板１０１の中央よりも下方寄りの位置には、ステー１０４の一端部が回動可能に連結され、そのステー１０４の他端部は、下部パイプ１０２の外周に挿通された可動筒１０５対して回動可能に連結されている。そして、可動筒１０５を下部パイプ１０２に対して上下動させることで、各脚板１０１を開いたり、折り畳んだりすることが可能になる。
【特許文献１】特開２００１−１８４０５６号公報
【特許文献２】実開平５−４５７９３号公報
【発明の開示】
【発明が解決しようとする課題】
【０００４】
ところで、スネアスタンドを、胴体部の奥行きが深いタイプのスネアドラムを支持するために使用する場合がある。この場合、スネアスタンドに対しては、スネアドラムの打面を演奏し易い高さに設定するため、スネアドラムの底部をより低い位置で安定して支持することが要求される。ところが、特許文献１に記載の構成では、可動筒９４ａの可動範囲ｄを考慮して下部パイプ９２の長さが決められているため、スタンド本体９１の長さを現状よりも短くしてスネアドラムの支持位置を一層低くすることは困難である。また、特許文献２に記載の構成では、バスケットの中心軸と上部パイプの軸線とが同軸上に配置されないため、特許文献１の構成に比してスネアドラムの支持位置を低くできるものの、スネアドラムを安定して支持できないといった欠点がある。また、図６に示す構成では、下部パイプ１０２の上端に固定された固定筒１０３を支点として各脚板１０１が回動される。この場合、各脚板１０１の支点がバスケットに近接して上方に位置しているため、同バスケットの下方には、各脚板１０１を開くための大きなスペースを必要とする。そのため、各脚板１０１が開かれた状態では、スネアドラム１の周辺に設置される器具の一部と干渉し易くなっている。例えば、図７に示すように、ツインペダル１１０を用いてバスドラム２を演奏する際、左右のペダル１１１ａ，１１１ｂを連結するコネクティングロッド１１２とスネアスタンド１００の脚板１０１とが図６及び図７に示すＰ点にて干渉し易く、それにより、ドラムの演奏に支障をきたすおそれがある。
【０００５】
本発明は、このような問題に鑑みてなされたものであり、その目的は、打楽器等の物品を低い位置で安定して支持することのできる折り畳み可能なスタンドを提供することにある。
【課題を解決するための手段】
【０００６】
上記の目的を達成するために、請求項１に記載の発明は、物品が載置されるバスケットと、前記バスケットを支持するスタンド本体と、前記スタンド本体に回動可能に連結された複数の脚板とを備えるスタンドであって、前記スタンド本体は、主パイプと、前記主パイプ内に上端が挿入された下段パイプとからなり、前記主パイプには脚板支持部材が設けられ、その脚板支持部材を介して前記各脚板の一端が前記主パイプに回動可能に連結され、前記下段パイプにはステー支持部材が設けられ、前記各脚板に連結されたステーが前記ステー支持部材を介して前記下段パイプに回動可能に連結され、前記ステー支持部材が、前記脚板支持部材と接近するように前記下段パイプと一体的に移動して、前記主パイプ内での前記下段パイプの挿入量が増加することで前記各脚板は前記各ステーにより開かれると共に、前記ステー支持部材が、前記脚板支持部材と離間するように前記下段パイプと一体的に移動して、前記主パイプ内での前記下段パイプの挿入量が減少することで前記各脚板は前記各ステーにより折り畳まれることを要旨とする。
【０００７】
同構成によれば、ステー支持部材が下段パイプと一体になって移動可能であるため、脚板支持部材に対しステー支持部材を接近させると、主パイプ内への下段パイプの挿入量が増大すると共に脚板が開かれる。この際、下段パイプが主パイプ内に挿入されてスタンド本体の長さが短くなるため、その分、バスケットによる物品の支持位置を低く設定することが可能になる。
【０００８】
請求項２に記載の発明は、請求項１に記載の発明において、前記ステー支持部材は、前記下段パイプの下端に設けられていることを要旨とする。
同構成によれば、各脚板が開いた状態では、主パイプ内に下段パイプがより深く挿入されてスタンド本体の長さがより短くなる。よって、バスケットによる物品の支持位置を一層低く設定することが可能になる。
【０００９】
請求項３に記載の発明は、請求項１又は２に記載の発明において、前記脚板支持部材は、前記主パイプの下端に設けられていることを要旨とする。
同構成によれば、脚板支持部材とステー支持部材とが一層接近して主パイプ内に下段パイプが挿入されることから、スタンド本体に対する各脚板の開き角度を充分に確保することができる。これにより、バスケットの下方に各脚板を開くための大きなスペースを必要としない。
【００１０】
請求項４に記載の発明は、請求項１〜３のうちいずれか一項に記載の発明において、前記主パイプに挿入された前記下段パイプを所定位置で保持するための保持機構を備えていることを要旨とする。
【００１１】
同構成によれば、保持機構によって、主パイプに対する下段パイプの相対位置を変更した後、下段パイプを固定することができる。これにより、各脚板が開いている状態と、折り畳まれている状態とにそれぞれ保持することができる。
【００１２】
請求項５に記載の発明は、請求項１〜４のうちいずれか一項に記載の発明において、前記主パイプは、中段パイプと、前記バスケットに装着され、かつ前記中段パイプ内に下端が挿入された上段パイプとを備えると共に、前記中段パイプに対する前記上段パイプの相対位置を調節するための調節機構を備えていることを要旨とする。
【００１３】
同構成によれば、調節機構によって、中段パイプに対する上段パイプの相対位置を変更した後、上段パイプを固定することができる。これにより、スタンド本体の長さを調節して、バスケットによる物品の支持位置を好適な位置に調節することができる。
【００１４】
請求項６に記載の発明は、請求項５に記載の発明において、前記中段パイプ内には、前記下段パイプ内を前記上段パイプが摺動し得るように前記両パイプが挿入されていることを要旨とする。
【００１５】
同構成によれば、中段パイプ内において下段パイプと上段パイプとが摺動可能に挿入されることによって、スタンド本体の長さを更に短くすることができ、バスケットによる物品の支持位置を更に低く設定することが可能になる。
【００１６】
請求項７に記載の発明は、請求項６に記載の発明において、前記上段パイプの下端には、前記上段パイプの前記下段パイプへの挿入を案内するための案内部材が設けられていることを要旨とする。
【００１７】
同構成によれば、下段パイプを中段パイプ内に挿入する際、及び上段パイプを中段パイプ内に挿入する際に、案内部材によって、上段パイプの外周面が下段パイプの内周面に円滑に案内されるようになる。よって、折り畳まれた各脚板を開く動作、或いは、上段パイプを中段パイプ内に収納する動作をスムーズに行うことができ、スタンドの取り扱いが容易となる。
【００１８】
請求項８に記載の発明は、請求項６又は７に記載の発明において、前記下段パイプの下端には開口が形成され、その開口を通じて前記上段パイプの下端を下方へ突出可能としたことを要旨とする。
【００１９】
同構成によれば、上段パイプを、その上端及び下端を下段パイプの両端から突出させた状態で中段パイプ内に挿通することができる。これにより、上段パイプの長さを充分に確保することができるため、バスケットによる物品の支持位置を広い範囲に亘って調節することが可能になる。
【００２０】
請求項９に記載の発明は、請求項１〜８のうちいずれか一項に記載の発明において、前記物品はスネアドラムであることを要旨とする。
同構成によれば、胴体部の奥行きが深いタイプのスネアドラムであっても、スネアドラムの打面を演奏し易い位置に設定することができ、ひいてはスネアドラムの演奏を好適に行うことが可能になる。
【発明の効果】
【００２１】
本発明によれば、物品を低い位置で安定して支持することが可能なスタンドを提供することができる。
【発明を実施するための最良の形態】
【００２２】
以下、本発明のスタンドをスネアスタンドに具体化した一実施形態について、図１〜図５を参照して説明する。
図１に示すように、スネアスタンド１０は、スタンド本体１１と、スネアドラム１が装着されるバスケット１６とを備えている。スタンド本体１１は、３本の脚板１２、下段パイプ１３、中段パイプ１４、及び上段パイプ１５を備えている。各パイプ１３，１４，１５の直径は、上段パイプ１５＜下段パイプ１３＜中段パイプ１４の順に大きくなっている。尚、本実施形態では、主パイプが、中段パイプ１４、及び上段パイプ１５を備えて形成されている。
【００２３】
図２〜図４に示すように、スタンド本体１１では、下段パイプ１３の上端が中段パイプ１４内に挿入され、中段パイプ１４内に上段パイプ１５の下端が挿入されている。中段パイプ１４内には、下段パイプ１３内を上段パイプ１５が摺動し得るように両パイプ１３，１５が挿入されている。このため、上段パイプ１５の下端には、上段パイプ１５の下段パイプ１３への挿入を案内する案内部材としてのキャップ５０が装着されている。また、下段パイプ１３の下端には、上段パイプ１５の下端を下方に突出させるための開口１３ａが形成されている。
【００２４】
下段パイプ１３の下端には、筒状のステー支持部材３０が装着されている。このステー支持部材３０は、筒本体３１と、３つの突起３２とからなり、各突起３２は、筒本体３１の外周面に等間隔を置いて設けられている。
【００２５】
中段パイプ１４の下端には、筒状の脚板支持部材４０が装着されている。この脚板支持部材４０は、筒本体４１と、３つの突起４２とを備え、各突起４２は、筒本体４１の外周面に等間隔を置いて設けられている。
【００２６】
脚板支持部材４０には、保持機構としての締付機構４３が形成されている。この締付機構４３は、脚板支持部材４０内に配置されるブッシュ４３ａ、押え板４３ｂ、締付ナット４３ｃ、及びＴ型ボルト４３ｄからなる。Ｔ型ボルト４３ｄの先端が締付ナット４３ｃを通り、押え板４３ｂ及びブッシュ４３ａに押し付けられると、環状のブッシュ４３ａが縮径されて下段パイプ１３の外周面に対し締め付けられる。即ち、Ｔ型ボルト４３ｄを締め付けることで、ブッシュ４３ａが下段パイプ１３に締め付けられ、その締付により下段パイプ１３が中段パイプ１４に固定される。一方、Ｔ型ボルト４３ｄを緩めることで、Ｔ型ボルト４３ｄの押し付けが解除されると共に、ブッシュ４３ａによる下段パイプ１３の締付も解除される。そして、中段パイプ１４に対して下段パイプ１３を軸線方向に移動させることが可能になる。
【００２７】
脚板支持部材４０の各突起４２には、各脚板１２の上端部が、リング４４を介して連結ピン４４ａにより回動可能に連結されている。各脚板１２は、対向して配置された２枚の長尺状の板１２ａと、各板１２ａの先端部にゴム製のストッパ２１とを備えている。
【００２８】
各脚板１２の略中央には、ステー２２の一端部が保持具２２ａを介して連結ピン２２ｂにより回動可能に連結されている。また、ステー支持部材３０の各突起３２には、各ステー２２の他端部が保持具２２ａを介して連結ピン３２ｂにより回動可能に連結されている。従って、ステー２２の両端部は、脚板１２の略中央とステー支持部材３０の突起３２とにそれぞれ回動可能に連結されている。
【００２９】
このようにして形成されたスタンド本体１１の下部構造は、中段パイプ１４に対する下段パイプ１３の相対位置を変更する、即ち、中段パイプ１４に対する下段パイプ１３の挿入量を変更することによって、各脚板１２を開いたり、折り畳んだりすることが可能に形成されている。また、下段パイプ１３のほぼ中間位置には、略環状のキーロック３３がボルト３４及びナット３５によって装着されている。このキーロック３３は、中段パイプ１４に対する下段パイプ１３の相対位置の上限を決めるものであり、即ち、各脚板１２の開き度合いを決めるものである。
【００３０】
一方、スタンド本体１１の上部構造では、調節機構としての高さ調節機構４６を備えた支持筒４５が中段パイプ１４の上端部に装着されている。この高さ調節機構４６は、支持筒４５内に配置されるブッシュ４６ａ、支持筒４５に側方から挿入されるボルト４６ｂ、押え板４６ｃ、及びボルト４６ｂに螺合されるＴ型ナット４６ｄからなる。このＴ型ナット４６ｄを締め付けることで、押え板４６ｃ及びブッシュ４６ａを介し支持筒４５に対して上段パイプ１５が固定され、上段パイプ１５が中段パイプ１４に固定される。一方、Ｔ型ナット４６ｄを緩めることで、中段パイプ１４に対して上段パイプ１５の位置を調節することが可能になる。尚、本実施形態では、脚板支持部材４０、中段パイプ１４、及び支持筒４５がそれぞれ別部材として形成されると共に、これら各部材が一体に組み付けられている。
【００３１】
このようにして形成されたスタンド本体１１の上端部には、図１に示すように、バスケット１６が角度調節機構５２を介して回動可能に装着されている。バスケット１６は３本の支持アーム６０を有し、各支持アーム６０の先端部６０ａがスネアドラム１の下側フープ１ａを把持するように形成されている。
【００３２】
次に、スネアスタンド１０の動作態様について図２及び図３を参照して説明する。
スネアスタンド１０を使用する際には、先ず、中段パイプ１４に対する下段パイプ１３の相対位置を変更可能にするため、図３に示す締付機構４３のＴ型ボルト４３ｄを緩める。次に、脚板支持部材４０にステー支持部材３０が接近するように、下段パイプ１３を図３に示す上方に移動させて、下段パイプ１３の中段パイプ１４に対する挿入量を増加させる。すると、ステー支持部材３０が脚板支持部材４０に接近すると共に、各脚板１２が各ステー２２によって下段パイプ１３から離間される。このとき、各脚板１２は、連結ピン４４ａを中心として上方に回動される。そして、下段パイプ１３は、キーロック３３が脚板支持部材４０に当接する位置まで、中段パイプ１４内に挿入される。この状態で、Ｔ型ボルト４３ｄを締め付けることによって、下段パイプ１３が図２に示す使用位置に固定され、各脚板１２が開かれた状態に保持される。
【００３３】
一方、スネアスタンド１０を折り畳む際には、先ず、中段パイプ１４に対する下段パイプ１３の相対位置を変更可能にするため、Ｔ型ボルト４３ｄを緩める。次に、脚板支持部材４０からステー支持部材３０が離間するように、下段パイプ１３を図２の下方に移動させて、下段パイプ１３の中段パイプ１４に対する挿入量を減少させる。すると、ステー支持部材３０が脚板支持部材４０から離間すると共に、各脚板１２が各ステー２２によって下段パイプ１３に接近する。このとき、各脚板１２は、連結ピン４４ａを中心として下方に回動される。そして、下段パイプ１３は、各脚板１２が完全に折り畳まれた状態になるまで中段パイプ１４から抜き出される。この状態で、Ｔ型ボルト４３ｄを締め付けることによって、下段パイプ１３が図３に示す収納位置に固定され、各脚板１２が折り畳まれた状態に保持される。
【００３４】
次に、スネアスタンド１０の作用について図５（ａ），（ｂ）を参照し、従来例と比較しながら説明する。図５（ａ）は従来のスネアスタンドの下部構造を示し、図５（ｂ）は本実施形態のスネアスタンド１０の下部構造を示している。
【００３５】
図５（ａ）に示すように、従来のスネアスタンドでは、スタンド本体９１は、下部パイプ９２と、その下部パイプ９２内に下端が挿入された上部パイプ９３とからなる。そして、下部パイプ９２に挿通された可動筒９４ａを下方に移動させることで、可動筒９４ａが固定筒９４ｂに接近して各脚板９５が開かれる。この場合、下部パイプ９２の長さが可動筒９４ａの可動範囲ｄを考慮して決められているため、支持筒９６の上端位置を図５（ａ）で示す高さＨ１よりも低く設定することは不可能である。
【００３６】
一方、本実施形態のスネアスタンド１０では、上記従来構成とは異なり、ステー支持部材３０が下段パイプ１３と一体になって移動するように形成されている。そのため、脚板支持部材４０に対しステー支持部材３０が接近すると、中段パイプ１４内への下段パイプ１３の挿入量が増大すると共に各脚板１２が開かれる。この際、下段パイプ１３が中段パイプ１４内に挿入されてスタンド本体１１の全体の長さが短くなる。また、脚板支持部材４０は図５（ｂ）に示す上方に移動しないため、支持筒４５の上端位置を高さＨ１よりも低い高さＨ２に設定することが可能となる。また、脚板支持部材４０にステー支持部材３０を接近させてステー２２により脚板１２を開く構成は同じであることから、脚板１２とスタンド本体１１の中心軸Ｃ１とがなす開き角度αは従来構成と本実施形態とにおいて同一に保持される。
【００３７】
本実施形態によれば、以下のような効果を得ることができる。
（１）下段パイプ１３にはステー支持部材３０が装着され、中段パイプ１４には脚板支持部材４０が装着されている。この場合、ステー支持部材３０が下段パイプ１３と一体になって移動可能であるため、脚板支持部材４０に対しステー支持部材３０を接近させると、中段パイプ１４内への下段パイプ１３の挿入量が増大すると共に各脚板１２が開かれる。これにより、下段パイプ１３が中段パイプ１４内に挿入されてスタンド本体１１の長さが短くなるため、その分、バスケット１６によるスネアドラム１の支持位置を低く設定することが可能になる。従って、胴体部の奥行きが深いタイプのスネアドラム１であっても、スネアドラム１の打面を演奏し易い位置に設定することができ、ひいてはスネアドラム１の演奏を好適に行うことが可能になる。
【００３８】
（２）ステー支持部材３０は下段パイプ１３の下端に装着されている。そのため、各脚板１２が開いた状態では、中段パイプ１４内に下段パイプ１３がより深く挿入されてスタンド本体１１の長さがより短くなる。よって、バスケット１６による物品の支持位置を一層低く設定することが可能になる。
【００３９】
（３）脚板支持部材４０は中段パイプ１４の下端に装着されている。そのため、脚板支持部材４０とステー支持部材３０とが一層接近して中段パイプ１４内に下段パイプ１３が挿入されることから、スタンド本体１１に対する各脚板１２の開き角度αを充分に確保することができる。これにより、バスケット１６の下方に各脚板１２を開くための大きなスペースを必要としない。
【００４０】
（４）脚板支持部材４０には締付機構４３が形成されている。この締付機構４３によって、中段パイプ１４に対する下段パイプ１３の相対位置を変更した後に下段パイプ１３を固定することができる。よって、各脚板１２が開いている状態と、折り畳まれている状態とにそれぞれ保持することができる。
【００４１】
（５）支持筒４５には高さ調節機構４６が形成されている。この高さ調節機構４６によって、中段パイプ１４に対する上段パイプ１５の相対位置を変更した後に上段パイプ１５を固定することができる。よって、スタンド本体１１の長さを調節して、スネアドラム１の打面位置を演奏し易い位置に調節することができる。
【００４２】
（６）中段パイプ１４内に挿入された下段パイプ１３内には、更に上段パイプ１５が挿入されている。つまり、中段パイプ１４内には下段パイプ１３と上段パイプ１５とが摺動可能に挿入されているため、スタンド本体１１の長さを更に短くすることができる。これにより、バスケット１６によるスネアドラム１の支持位置を更に低く設定することが可能になる。
【００４３】
（７）上段パイプ１５の下端には、案内部材としてのキャップ５０が装着されている。このキャップ５０によって、下段パイプ１３を中段パイプ１４内に挿入する際、及び上段パイプ１５を中段パイプ１４内に挿入する際に、キャップ５０によって、上段パイプ１５の外周面が下段パイプ１３の内周面に円滑に案内されるようになる。よって、折り畳まれた脚板１２を開く動作、或いは、上段パイプ１５を中段パイプ１４内に収納する動作をスムーズに行うことができ、スネアスタンド１０の取り扱いが容易となる。
【００４４】
（８）下段パイプ１３の下端には、上段パイプ１５の下端を下方に突出させるための開口１３ａが形成されている。これにより、上段パイプ１５を、その上端及び下端を下段パイプ１３の両端から突出させた状態で中段パイプ１４内に挿通することができる。よって、上段パイプ１５の寸法を充分に確保することができるため、バスケット１６によるスネアドラム１の支持位置を広い範囲に亘って調節することが可能になる。
【００４５】
なお、上記実施形態は以下のように変更してもよい。
・本実施形態において、ステー支持部材３０を下段パイプ１３の下端に装着していたが、下段パイプ１３の下端よりも上方に装着してもよい。この場合であっても、バスケット１６によるスネアドラム１の支持位置を低く設定することは可能である。
【００４６】
・本実施形態において、脚板支持部材４０を中段パイプ１４の下端に装着していたが、中段パイプ１４の下端よりも上方に装着してもよい。この場合であっても、バスケット１６によるスネアドラム１の支持位置を低く設定することは可能である。
【００４７】
・本実施形態において、スネアスタンド１０は、上段パイプ１５及び高さ調節機構４６を備えていたがこれらを省略してもよい。このようにすれば、スタンド本体１１の長さを調節することはできなくなるものの、スネアドラム１の支持位置を低く設定することは可能である。
【００４８】
・本実施形態において、脚板支持部材４０、中段パイプ１４、及び支持筒４５がそれぞれ別部品として形成されていたが、これらの部材１４，４０，４５を一体形成することにより一部品としてもよい。このようにすれば、部品点数が少なくなり、組み付け工数を削減することができるため、製造コストの低減を図るのに有利である。
【００４９】
・本実施形態においては、中段パイプ１４内に挿入された下段パイプ１３内に、更に上段パイプ１５が挿入されていたが、中段パイプ１４内に挿入された上段パイプ１５内に、更に下段パイプ１３が挿入されるように、下段及び上段パイプ１３，１５の位置関係を入れ替えてもよい。
【００５０】
・本実施形態において、上段パイプ１５の下端にはキャップ５０が装着されていたが、これを省略してもよい。また、このキャップ５０を上段パイプ１５の下端に一体形成してもよい。
【００５１】
・本実施形態において、スタンドがスネアスタンド１０に具体化されていたが、スネアドラム１以外の打楽器、例えば、太鼓、木琴、鉄琴等のスタンドとして具体化したり、また、楽器以外の譜面台やカメラ用三脚等に適用される物品用スタンドとして具体化してもよい。
【図面の簡単な説明】
【００５２】
【図１】本実施形態におけるスネアスタンドの全体構成を示す正面図。
【図２】同じくスネアスタンドの脚板が開かれた状態を示す部分断面図。
【図３】同じくスネアスタンドの脚板が折り畳まれた状態を示す部分断面図。
【図４】同じくスネアスタンドを構成するスタンド本体の分解斜視図。
【図５】（ａ）は従来のスネアスタンドの高さ下限位置を説明するための部分正面図、（ｂ）は本実施形態のスネアスタンドの高さ下限位置を説明するための部分正面図。
【図６】従来のスネアスタンドの全体構成を示す正面図。
【図７】図６のスネアスタンドがツインペダルの一部と干渉している様子を示す模式上面図。
【符号の説明】
【００５３】
１…スネアドラム（打楽器）、１０…スネアスタンド（スタンド）、１１…スタンド本体、１２…脚板、１３…下段パイプ、１３ａ…開口、１４…中段パイプ（主パイプ）、１５…上段パイプ（主パイプ）、１６…バスケット、２２…ステー、３０…ステー支持部材、４０…脚板支持部材、４５…支持筒、４３…締付機構（保持機構）、４６…高さ調節機構（調節機構）、５０…キャップ（案内部材）。
【図１】
0004495042.tif 000002
【図２】
0004495042.tif 000003
【図３】
0004495042.tif 000004
【図４】
0004495042.tif 000005
【図５】
0004495042.tif 000006
【図６】
0004495042.tif 000007
【図７】
0004495042.tif 000008